(57)【特許請求の範囲】
【請求項１】
可動子室内で支承された可動子を少なくとも有する電磁石であって、前記可動子室がスプールによって取り囲まれており、該スプールが電流を供給可能な複数のコイルを支持しており、通電時に発生する磁界が前記可動子を磁極コアに向かって運動させるようになっており、
前記可動子（２）内に衝突プランジャ（４）が可動に支承されており、
非通電状態においてプランジャ端面（４０）と前記磁極コア（１０）との間の間隔が、可動子端面（２０）と前記磁極コア（１０）との間の間隔よりも小さくなっており、
前記可動子（２）内にシール部材（６）が配置されており、該シール部材（６）と前記衝突プランジャ（４）の両方が浮動支承されており且つ弾性部材（４１）を介して互いに支持し合っているものにおいて、
前記可動子（２）内に軸方向で配置された止まり穴が設けられており、
前記可動子（２）に可動子戻しばね（２８）が配置されており、該可動子戻しばね（２８）の作用方向が、前記磁極コア（１０）に向かう前記可動子（２）の運動とは逆方向に向けられており、
前記可動子戻しばね（２８）が、前記止まり穴の、前記磁極コア（１０）に面した領域に配置されていることを特徴とする、可動子を備えた電磁石。
【請求項２】
前記磁極コア（１０）に面した前記プランジャ端面（４０）が、前記可動子端面（２０）に比べて突出している、請求項１記載の電磁石。
【請求項３】
前記可動子（２）内に、前記衝突プランジャ（４）のためのプランジャばね（４２）として形成された前記弾性部材（４１）が設けられており、通電時に前記可動子（２）が前記磁極コア（１０）に向かって運動され且つ前記プランジャ端面（４０）が前記磁極コア（１０）に接触すると、前記弾性部材（４１）が圧縮される、請求項１又は２記載の電磁石。
【請求項４】
前記弾性部材（４１）が前記可動子（２）の１エレメントに支持されている、請求項３記載の電磁石。
【請求項５】
前記弾性部材（４１）が前記シール部材（６）に支持されており、該シール部材（６）が前記可動子（２）内の、前記可動子端面（２０）に対向位置する背面側において、室（２９）内に配置されている、請求項３又は４記載の電磁石。
【請求項６】
前記可動子（２）が操作ピンに作用する、請求項１から５までのいずれか１項記載の電磁石。
【請求項７】
前記衝突プランジャ（４）が、前記プランジャ端面（４０）とは反対の側の脚部域（４３）に拡張部（４４）を有しており、該拡張部（４４）が前記プランジャばね（４２）により、非通電状において前記可動子（２）のインナストッパ（２３）に向かって押圧される、請求項３から６までのいずれか１項記載の電磁石。
【請求項８】
前記室（２９）が、前記背面側（２２）とは反対の側に前記シール部材（６）のための接触ショルダ（２００）又はインナコーン（２０１）を有している、請求項５から７までのいずれか１項記載の電磁石。
【請求項９】
前記プランジャばね（４２）が、前記可動子戻しばね（２８）よりも強く又は弱く形成されている、請求項３から８までのいずれか１項記載の電磁石。
【請求項１０】
前記可動子（２）が、管成形部材の部分として形成されている、請求項１から９までのいずれか１項記載の電磁石。
【請求項１１】
前記衝突プランジャ（４）が、金属、鋼、軽金属、プラスチック又は繊維強化プラスチックから成っている、請求項１から１０までのいずれか１項記載の電磁石。
【請求項１２】
請求項１から１１までのいずれか１項記載の電磁石を有する弁であって、前記可動子が、前記磁極コアとは反対の側に前記シール部材を支持しており、該シール部材が前記弁のシール座と協働することを特徴とする、弁。
【請求項１３】
前記可動子室（１４）若しくは前記可動子（２）の内部が制御されるべき媒体によって満たされている、請求項１２記載の弁。
【発明の詳細な説明】
【技術分野】
【０００１】
本発明は、可動子室内で支承された可動子を少なくとも有する電磁石であって、前記可動子室がスプールによって取り囲まれており、該スプールが電流を供給可能な多数のコイルを支持しており、通電時に発生する磁界が前記可動子を磁極コアに向かって運動させる形式のものに関する。
【背景技術】
【０００２】
このような形式の電磁石は、広範な技術において公知である。可動子の運動は、種々様々なエレメントを制御するために用いられ、例えば電磁石は弁エレメントを制御するために使用される。電磁石には、長期の耐用年数、つまり、多数の切替動作にわたって確実に、できる限り一定の特性を備えて長持ちし且つ相応に信頼性を有しているということが期待される。
【０００３】
可動子は、例えば対応する戻しばねにより、電磁石の非通電状態において一方の終端位置に保持されている。今、電流コイルに電流が供給されると、磁界がスプール内部、特に可動子室内に形成され且つ可動子に作用する。するとこの可動子は比較的激しく加速されて磁極コアに衝突する。その結果、ある程度の摩耗が生ぜしめられ、この摩耗は多数回の切替（例えば１千万回、１千５百万回又は２千万回の切替）において、電磁石の切替特性の著しい変化をもたらす。高い衝突エネルギに基づき、可動子における破損が行われ、この破損が可動子の作動特性を悪化させ、このことは可動子の落下特性において相応に目立っていた。
【発明の概要】
【発明が解決しようとする課題】
【０００４】
この従来技術から出発して本発明の課題は、電磁石の信頼性を向上させることにある。
【課題を解決するための手段】
【０００５】
この課題を解決するために、本発明は冒頭で述べた形式の電磁石から出発して、可動子内に衝突プランジャが可動に支承されており、非通電状態においてプランジャ端面と磁極コアとの間の間隔が、可動子端面と磁極コアとの間の間隔よりも小さいことを提案する。
【発明の効果】
【０００６】
このことを達成するために本発明が提案するのは、可動子内に衝突プランジャが可動に支承されており、この衝突プランジャの、磁極コアに面した側のプランジャ端面が、非通電状態において可動子端面に比べて突出していることである。別の手段は、磁極コアが、衝突プランジャがぶつかる領域に隆起部を有しており、これによりプランジャ端面を可動子端面に対して後退させることができる点にある。それにもかかわらず、このことはまず最初にプランジャ端面をコアに（つまり前記隆起部の領域に、当然相応のディメンショニングの考慮下で）衝突させる。前記隆起部は、例えば円錐として形成可能であり、この場合は僅かに可動子に侵入している。
【０００７】
本発明では、本発明に基づき一体に、又は複数部分からも形成されている可動子内に、可動に支承された衝突プランジャが配置され、この衝突プランジャは、可動子の引付け運動に際してまず最初に磁極コアの表面に衝突し、これにより既に運動エネルギの一部を吸収している。この場合、衝突プランジャは、プランジャ端面が非通電状態において可動子と磁極コアとの間に形成される空隙内にやや突入しているように、可動子を越えてやや突出している。これにより、前記可動子端面が、可動子の引付け運動又は行程運動時に（スプールに支承されたコイルの通電時に）可動子の運動方向で見て前方の可動子側として定義される。
【０００８】
本発明により提案される配置形式では、非通電状態においてプランジャ端面とコアとの間の間隔が、可動子若しくは可動子の可動子端面と磁極コアとの間の間隔により規定された空隙よりも小さい。
【０００９】
本発明による提案は、前記空隙の構成がほぼ不変であり続けるということを可能にする。この空隙は、金属の可動子端面若しくはしばしば金属のプランジャ端面と、磁極コア若しくは磁極コア面との間に形成される。当該空隙内にはその他のエレメントは全く設けられていないので、可動子の前記の特別な構成が磁気的な特性に更に影響を及ぼすことはない。
【００１０】
本発明の有利な１変化態様では、可動子が、この可動子の運動エネルギを補償するエレメントを支持しており、これにより、磁極コア面に対する可動子の衝突に基づく可動子端面の破損が可能な限り回避される。
【００１１】
このことは例えば、可動子のエネルギを消滅させるエレメントが設けられており、このエレメントが、衝突プランジャを落下状態（スプールを通る電流もやはり遮断されている場合）で再び戻し運動させるために適しており、例えば戻し運動されると、プランジャ端面が再び可動子端面に比べて突出しているように、衝突プランジャが再び位置決めされることによって達成される。このためには、例えば相応のショックアブソーバが考えられる。
【００１２】
本発明による別の１変化態様では、可動子内に弾性部材、特に衝突プランジャのためのプランジャばねが設けられており、通電時に可動子が磁極コアに向かって運動し且つプランジャ端面が磁極コアに接触若しくは衝突すると、前記弾性部材が圧縮される。
【００１３】
プランジャばねの使用は、より良好な落下特性をもたらす。それというのも、衝突プランジャの付加的な押圧力が、圧縮されたプランジャばねによって供与されているからである。
【００１４】
この場合の配置形式は、衝突プランジャが、行程運動中に加速された可動子が有する運動エネルギの少なくとも一部を吸収し且つ補償するように選択されている。未だ残っている残留エネルギは、可動子の損傷を生ぜしめないようにするためには十分に小さい。
【００１５】
有利には、本発明による電磁石の更に別の１変化態様は、衝突プランジャを収容するための軸方向の貫通開口を可動子内に有している。このような構成により、衝突プランジャのスペース節約式の配置が可能である。しかも、このような構成は別の複数の利点も有している。可動子内に貫通開口を配置することは、可動子から材料延いては質量をも除去する。挿入された衝突プランジャは、場合によっては貫通開口の全体積を満たすのではなく、この衝突プランジャは貫通開口内である程度の可動性を有している。このことは、衝突プランジャ及びその他のエレメントを備えた可動子の総質量を相応に減少させる。スプールの構成が変わらない場合は、これにより切替特性が改善される、つまり加速されるか、又は同じ機械的特性を実現するために、スプールの構成に関してコイルを節約し延いては相応のスプール材料を節約する手段が提供される。従って、このような構成は驚くべきことに付加的な節約ポテンシャル又は本発明により構成された電磁石の性能向上を有している。
【００１６】
この場合、本発明により提案された貫通開口は、例えば段付き孔として形成されており、これにより例えばシール部材をも収容する可能性を開く。この場合、「軸方向」の概念は、行程運動の方向で規定されており、一般に可動子は長手方向軸線を有する円筒体、特に回転対称体として形成されており、貫通開口は前記長手方向軸線に対して平行であり、即ち軸方向に配置されている。
【００１７】
この場合、本発明は軸方向の貫通開口の配置に限定されてはいない。本発明の更に別の１変化態様では、可動子内に軸方向で配置された止まり穴又は可動子端面内の切欠きが、衝突プランジャを収容するために設けられているということも提案される。つまり、前記止まり穴の底部に、弾性部材、例えばプランジャばねのための対応する支持手段が形成される。この場合、可動子自体は例えば別のエレメントによって、例えば弁ブロックのシール部材等のような制御部材に作用する。
【００１８】
本発明の更に別の有利な１変化態様では、前記弾性部材が可動子の１エレメントに支持されている。弾性部材を支持することのできるこの可動子のエレメントは、例えば止まり穴の底部又は衝突プランジャの収容に役立つ可動子内の軸方向の貫通開口に沿った対応する段部、フランジ又はリングである。
【００１９】
弾性部材が、可動子内に不動に配置されたエレメントに支持され得る前記変化態様の他に、本発明は、弾性部材がシール部材に支持されており、このシール部材が、可動子の前記可動子端面に対向位置する背面側で、室内に配置されている構成も有している。この場合、前記シール部材はまさにシール部材のために使用されるような十分に弾性的な材料、例えばポリマー、エラストマー、気泡ゴム又はシリコーン等から成っている。この場合、シール座に確実に載着してこのシール座をシールするために、シール部材はしばしばある程度の弾性を有している。このためにシール部材に形成されているシール面は、有利には可動子背面側と整合する表面を閉鎖するか、又はこの表面をやや越えて突出している。つまり、可動子が弁ブロックに相応に（密接に）支持される前に、まず最初にシール部材がシール座に接触するということが保証される。勿論、シール部材が可動子内である程度の可動性を有していることも可能である。本発明によるこの変化態様の場合、シール部材と衝突プランジャの両方が浮動支承されており且つ弾性部材、特にプランジャばねを介して互いに支持し合っており、これにより、衝撃緩和及びシール部材の製作誤差補償のために、有利には１つのばねしか必要とされない。つまり、可動子の運動エネルギの一部が、プランジャばねの緊張エネルギに変換される若しくはシール部材の圧縮時に場合によっては消滅することもある。この場合に発生する熱は、周辺環境に問題なく放出される。
【００２０】
プランジャばねを介して互いに支持し合うシール部材及び衝突プランジャの浮動式の配置形式は、シール部材の製作誤差補償のために１つのばねしか必要でなく、従ってシール部材も可動子背面側に関して常に正しいポジションに配置されている、ということをもたらす。
【００２１】
本発明では、電磁石は可動子がシール部材を支持する構成と、可動子が操作ピンに作用する構成の両方を有している。このためには、前記操作ピンが可動子とは無関係に別個に形成されており、例えば対応する調節ばね（Anstellfeder）によって必要な場合に可動子に接触させることができる。
【００２２】
有利には、可動子に可動子戻しばねが配置されており、この可動子戻しばねの作用方向は、磁極コアに向かう可動子の運動とは逆の方向に向けられている。可動子戻しばねの配置により、可動子は電流の遮断状態において再びその出発位置へ押し戻される、つまり、可動子端面とコアとの間の空隙が再び拡大する。この場合、可動子戻しばねは、例えば磁極コア又は可動子に適当に支承されている。このために本発明の更に別の１変化態様において有利には、可動子戻しばねが、止まり穴又は貫通開口の磁極コアに面した領域に配置されている。これは可動子戻しばねのためのスペース節約型の配置形式であり、可動子戻しばねは実質的に可動子内に侵入しているので邪魔にならない。
【００２３】
本発明に基づき、可動子戻しばねが可動子端面に支持される構成も、勿論規定されている。
【００２４】
この場合、貫通開口若しくは止まり穴は十分に大きな直径を有しており、これにより、貫通開口若しくは止まり穴内に、衝突プランジャと可動子戻しばねの両方が収まる。この場合、可動子には相応の狭小部又はショルダが、例えばガイド領域又は中間領域に設けられており、この領域において、一方では可動子戻しばねの端部が支持可能であり且つ他方の側では衝突プランジャがガイドされている。その結果、コンパクトな構成が得られる。
【００２５】
本発明の更に別の構成では、前記室が、背面側とは反対の（内）側に、シール部材のための接触ショルダを有している。可動子長手方向軸線に関して半径方向に（即ち可動子長手方向軸線に対して直角に）延びていてよいこの接触ショルダの代わりに、本発明の択一的な構成ではインナコーンが設けられており、このインナコーンは背面側に向かって拡がっている。当該インナコーンは傾斜面とも呼ばれる。
【００２６】
これらの異なる両変化態様は、可動子延いては本発明による電磁石全体の電磁的な特性をも調節することを可能にする。
【００２７】
特に本発明の更に別の１変化態様では、プランジャばねが可動子戻しばねよりも強く又は弱く形成されている。勿論これら両ばねは、本発明の更に別の１変化態様において、そのばね定数又は剛性に関して同じであってもよい。
【００２８】
特に接触ショルダを備えた室の構成の場合、プランジャばねの適合により、本発明では落下電流をその時々の要求に可変に適合させられる、ということが可能である。この場合、プランジャばねは可動子戻しばねよりも（著しく）弱く形成されている。これに対してインナコーンを備えた変化態様では、可動子戻しばねよりも著しく強力なプランジャばねを使用することが有利である。これにより、シール部材が落下状態（即ち電磁石のコイルを通る電流が遮断された状態）で、可動子戻しばねの力によっては後退され得ないということが達成される。但し、比較的強力なこのプランジャばねは逆に、とりわけ可動子の引き付けられた状態で作用して、緩衝特性及び残留空隙（落下電流）に影響を及ぼす大きな力が衝突プランジャにも加えられる、ということを生ぜしめる。
【００２９】
前記室が接触ショルダを備えて形成されており、この接触ショルダのショルダ面が長手方向軸線に関して半径方向に延びている本発明による変化態様では、シール部材はまさに当該の接触ショルダに支持され得る。この場合、シール部材が落下状態、即ち電流が遮断された状態で、可動子戻しばねの力に基づき後方に若しくは内側に向かって任意の距離をシフトされる恐れはない。従って、プランジャばねは可動子戻しばねよりも著しく弱く構成されていてよい。
【００３０】
これにより、プランジャばね及び可動子戻しばねの剛性、並びにシール部材を収容する室の構成を選択することにより、可動子の特性が広範に調節可能であるということが得られる。緩衝特性及び落下電流を極めて可変に、複数の要求に適合させる可能性が生じる。
【００３１】
本発明の更に別の有利な構成では、衝突プランジャが、プランジャ端面とは反対の側の脚部域に拡張部を有しており、この拡張部はプランジャばねにより、非通電状態で可動子のインナストッパに向かって押圧される。プランジャばねは前記脚部域、即ち衝突プランジャの下端部に係合している。可動子内の軸方向の貫通開口は狭小部を有しており、この狭小部により可動子内のストッパを形成している。このような構成により、プランジャ端面が可動子端面に対して突出する（又は後退する）距離が規定されている。同時に衝突プランジャは、軸方向の貫通開口の領域で可動子内のストッパに続く比較的狭い領域内でガイドされている。
【００３２】
可動子は、印加された磁界に適当に反応するために、磁化可能な材料から成っている。一般に可動子は金属、例えば相応の合金又は鋼から成っている。この場合、可動子は例えば旋削部材として形成されており、この旋削部材は軸方向の貫通開口又は止まり穴等を形成するために、後で切削加工される。
【００３３】
また、本発明の更に別の１変化態様では、可動子が管成形部材の部分として形成されている。この場合、衝突プランジャ若しくは別のエレメント（弾性的なエレメント、シール部材又はプランジャばね等）の確実な支承のためには、相応の形状を付与する加工ステップが続く。管成形部材の使用は当然、比較的手間のかかる切削加工ステップを省くものである。
【００３４】
本発明では衝突プランジャは、例えば金属、鋼、軽金属、プラスチック又は繊維強化プラスチックから形成されている。衝突プランジャを金属から形成することは勿論、機械的に比較的激しく負荷される衝突プランジャのヘッド領域が十分に形状安定的であるという利点を有している。また、前記用途に適した高強度プラスチックも知られている。プラスチックを使用する利点は特に、これにより可動子の総重量が減少されるという点にある。その結果得られる利点は既に指摘した。
【００３５】
本発明は、説明したような電磁石のみを包含するのではなく、弁、特に説明したような電磁石を有する空圧弁をも包含するものであり、この場合、可動子が、磁極コアとは反対の側にシール部材を支持しており、このシール部材は弁のシール座と協働する。この場合、シール部材は可動子端面とは反対の側の背面側に位置している。このような構成により、迅速に切り替わる、即ち迅速に反応し且つまた持続的に機能する弁、特に空圧弁が供与される。
【００３６】
基本的に前記配置形式は液圧弁にも適している。
【００３７】
この場合はしばしば、可動子室若しくは可動子の内部が、制御されるべき媒体によって満たされているように、配置形式が選択されている。それというのも、シール座が可動子室の隔壁に続いているからである。
【図面の簡単な説明】
【００３８】
【図１】本発明による電磁石若しくは弁の断面図である。
【図２】２つの変化態様を示した、本発明による可動子の断面図である。
【発明を実施するための形態】
【００３９】
以下に、本発明を実施するための形態を図面につき詳しく説明する。
【００４０】
図面において同一の、又は互いに対応している要素には、それぞれ同一符号が付されているので、合理的でない場合は改めて説明しない。
【００４１】
図１には、本発明による電磁石１と弁ブロック８とから成る、本発明による弁７が示されている。この弁７の基本構成は従来公知である。
【００４２】
弁ブロック８は弁ケーシング８１を有しており、この弁ケーシング８１内には圧力導管８２及び作業導管８３が設けられている。これらの圧力導管８２及び作業導管８３は、まず最初に可動子２の横方向孔内で、（行程運動に関して）ほぼ直角に延在しており、次いで軸方向の接続孔を介して電磁石１の可動子室１４に開口する。
【００４３】
複数のシール８０を介して弁ケーシング８１はいくつかの接続導管に接続されており、シール８４は、弁ケーシング８１と電磁石１との間に設けられており且つこの領域をシールしている。
【００４４】
本発明による電磁石１の構成は、従来技術においてもやはり公知である。可動子室１４は、図示の実施例では磁極管１３によって取り囲まれる。可動子室１４は、少なくとも部分的に磁極管１３とスプール体１１の両方によって取り囲まれており、この場合、磁極管１３は弁ブロック８の方向でスプール体１１をやや越えて突出しており、可動子室１４は更に磁極管１３の端部を越えて弁ブロック８の方向に伸長されている。スプール体１１は、電流を供給可能な線材のコイル１２を支持している。このコイル１２を通る電流に基づき磁界が生じ、この磁界は可動子２に作用する。この可動子２は、可動子室１４内で軸方向で可動に支承されている（二重矢印２５参照）。
【００４５】
電磁石１は、弁ブロック８とは反対の側の領域に磁極コア１０を有しており、この磁極コア１０に磁極管１３が被せ嵌められている。可動子２に面した側の磁極コア面１５は、可動子端面２０と磁極コア１０との間の空隙１６を制限している。
【００４６】
図１に示した電磁石１の構成では、電磁石の接続技術は示されていない。この接続技術は本発明の構成に関して重要ではない。
【００４７】
図２では、可動子２が抜き出されて詳細に示されている。
【００４８】
図２には可動子２の２つの異なる構成が示されている。両構成は、それぞれ室２９の内側に向けられた終端面若しくは部分的な制限面に関して相違しており、この終端面若しくは制限面は、第１の構成では半径方向に延びる（従って環状の）接触ショルダ２００（実線で図示）によって実現されており且つ別の構成ではインナコーン２０１（破線で図示）によって実現されている。
【００４９】
可動子２が磁界（この磁界はスプールのコイルを通って流れる電流によって発生する）に基づき運動する場合に行われる行程運動は、可動子２を左側にずらす。この運動は、二重矢印２５によって示されている。
【００５０】
左側にずらされる行程運動において前方には、可動子２を成端する可動子端面２０が設けられている。可動子２の長手方向軸線に関して同心的に貫通開口２１が設けられており、この貫通開口２１は、該貫通開口２１の複数の異なる直径に基づき、可動子２の軸線に沿った段付き孔として、複数の様々な段部及びアンダカットを備えて形成されている。貫通開口２１の前方領域では、ここに可動子戻しばね２８も挿入可能であるように十分なスペースを残す直径が選択されている。可動子戻しばね２８は、非通電状態では可動子端面２０を越えてやや突出しており且つ可動子を、落下（無電流）状態において再びその出発位置へもたらすために働く。この場合、可動子戻しばね２８は、可動子２の内部で貫通開口２１の比較的狭い領域、例えばガイド領域２６に支持されており、このガイド領域２６は、貫通開口２１内の相応する段部によって実現されている。
【００５１】
勿論、可動子戻しばね２８の圧縮は、可動子２の制動をサポートし且つ衝突エネルギを減少させる、可動子２の運動エネルギのエネルギ吸収をも生ぜしめる。この場合、本発明は、可動子２の引付け運動に際して（コイル１２の通電に際して）可動子戻しばね２８を衝突プランジャ４の手前又は後方で磁極コア面１５に接触させる配置形式を有している。
【００５２】
可動子２の大体中間には、貫通開口２１内をガイドされる、若しくは貫通開口２１内に設けられた衝突プランジャ４の半径方向支承部を形成するガイド領域２６が設けられている。この領域において貫通開口２１は、衝突プランジャ４の外径よりも少しだけ大きな内径を有している。当該の中間領域２６から出発して（軸方向で）左右それぞれに向かって、貫通開口２１は拡張している。
【００５３】
貫通開口２１内に設けられた衝突プランジャ４はプランジャ端面４０を有しており、このプランジャ端面４０は可動子端面２０と比べて、例えば１０分の数ミリメートル又は数ミリメートルの小さな範囲だけ突出している。
【００５４】
今、可動子２が行程運動に際して、この行程運動を制限する磁極コア１０の磁極コア面１５に衝突すると、まず最初にプランジャ端面４０が磁極コア面１５に接触する。これにより、衝突プランジャ４は残りの可動子２に対して相対的に右側に向かってずらされて、弾性部材４１を圧縮する。
【００５５】
この場合、この弾性部材４１はプランジャ端面４０に対向位置する、衝突プランジャ４の脚部域４３に支持されている。この脚部域４３は、より簡単な取付けのためにやや円錐形に形成されており、次いで（環状の）拡張範囲４４で終わっている。この拡張範囲４４の直径は、中間領域２６の直径よりも大きい。
【００５６】
この中間領域２６に関して右側には、やはり貫通開口２１の内径の拡張部が続いており、これにより、衝突プランジャ４の（可動子２に対して相対的に）左側に向かう運動を制限するインナストッパ２３が生ぜしめられる。無負荷状態において、図示の実施例ではプランジャばね４２（コイルばね等）として形成されている弾性部材４１が、拡張範囲４４をインナストッパ２３に対して押圧している。
【００５７】
この場合、衝突プランジャ４の組込みは右側から行われる。まず最初に衝突プランジャ４が貫通開口２１に通され、次いで弾性部材４１若しくはプランジャばね４２が貫通開口２１にセットされてから、シール部材６が可動子２の右側端部に挿入される。この場合、このシール部材６、例えばニップルは、貫通開口２１の部分である室２９内に位置している。この場合、この室２９の直径は、プランジャばね４２が支承されている貫通開口２１の範囲におけるよりも大である。このことは内径の相応の拡張により達成され、この拡張は、接触ショルダ２００（実線で図示）の形状で段状に行われるか、又はインナコーン２０１（破線で図示）によって実現されている。当該室範囲のこの構成、並びに可動子戻しばね２８及びプランジャばね４２の選択によっても、可動子２の特性が調節可能である。勿論、インナコーン２０１と接触ショルダ２００との間の適当な混合形状もやはり本発明に含まれ、この場合、若しくは丸み、内側に向かって湾曲された面等の別の相応な輪郭も、全て使用可能であるということは明らかである。
【００５８】
この場合、室２９は貫通開口２１の１部分領域であり且つインナコーン２０１若しくは接触ショルダ２００により閉じられてはいないが、制限されているということは明らかである。
【００５９】
室２９の（可動子２の軸方向若しくは運動方向２５で見た）長さは、シール部材６の高さと比べてやや大きく、この場合、ガイドコーン６０は考慮されていない。この結果、シール部材６は室２９内で、軸方向と半径方向両方の遊び若しくは可動性を本発明に基づき有している。可動子２の背面側２２で室２９を制限するようにインナフランジ２７が設けられており、このインナフランジ２７に向かってシール部材６がプランジャばね４２により押圧される。シール部材６の有する課題は、対応する弁座に作用して、媒体流を（空圧式又は液圧式で）中断、解放又は制御するという点にある。実際の機能は、弁座に対するシール部材６の、若しくは可動子室内の可動子２の相対的な位置によって規定される。
【００６０】
シール部材６は、シールニップル等に関して知られているような、十分に弾性的な材料から成っており、例えばポリマー、プラスチック、気泡ゴム、シリコーン等から成っている。シール部材６を、可動子２の背面側２２における貫通開口２１の右側端部内で確実に保持するためには、貫通開口２１の当該端部にインナフランジ２７が設けられており、このインナフランジ２７は、貫通開口２１の直径をある程度テーパさせている。背面側２２の可動子終端面２４は、その外側領域にインナフランジ２７を有している。シール部材６は、結果的に生じるインナフランジ２７の領域の内径よりも大きな直径を有している。但し、シール部材６は組込み目的でインナフランジ２７を通して押し込むためには十分に弾性的である。
【００６１】
シール部材６の右側には、外側に向けられたシール面６１が続いており、このシール面６１は弁座の設計に応じて、場合によっては可動子終端面２４に対して前方又は後方にずらされているか、或いは可動子終端面２４と整合している。
【００６２】
シール部材６の、シール面６１とは反対の側の、衝突プランジャ４の方向に向けられた領域にはガイドコーン６０が設けられており、このガイドコーン６０はプランジャばね４２に侵入している。これにより、プランジャばね４２もシール部材６に支持されることが可能なので、両エレメント、即ち衝突プランジャ４及びシール部材６の、可動子２内における浮動支承が得られる。つまり、プランジャばね４２も二重に作用する。即ち、プランジャばね４２は、行程運動時の衝突プランジャ４の衝突に際して制動エネルギを吸収するために役立ち且つ他方ではシール部材６を右側に向かって、インナフランジ２７及びシール面６１の方へ、シール座に対して押圧する。
【符号の説明】
【００６３】
１  電磁石、  ２  可動子、  ４  衝突プランジャ、  ６  シール部材、  ７  弁、  ８  弁ブロック、  １０  磁極コア、  １１  スプール体、  １２  コイル、  １３  磁極管、  １４  可動子室、  １５  磁極コア面、  １６  空隙、  ２０  可動子端面、  ２１  貫通開口、  ２２  背面側、  ２３  インナストッパ、  ２４  可動子終端面、  ２６  ガイド領域、  ２７  インナフランジ、  ２８  可動子戻しばね、  ２９  室、  ４０  プランジャ端面、  ４１  弾性部材、  ４２  プランジャばね、  ４３  脚部域、  ４４  拡張範囲、  ６０  ガイドコーン、  ６１  シール面、  ８０  シール、  ８１  弁ケーシング、  ８２  圧力導管、  ８３  作業導管、  ８４  シール、  ２００  接触ショルダ、  ２０１  インナコーン
【図１】
0005930258.tif 000002
【図２】
0005930258.tif 000003